【手続補正書】
【提出日】平成24年8月9日(2012.8.9)
【手続補正１】
【補正対象書類名】特許請求の範囲
【補正対象項目名】全文
【補正方法】変更
【補正の内容】
【特許請求の範囲】
【請求項１】
記録媒体に記録されている複数の画像データの代表画像を生成し、前記代表画像を表示装置に表示する手段であって、前記画像データの縮小画像が前記記録媒体に記録されている場合には前記縮小画像を用いて前記代表画像を生成し、前記画像データの縮小画像が前記記録媒体に記録されていない場合には前記画像データを用いて前記代表画像を生成する表示手段と、
複数の前記画像データの代表画像を前記表示装置に表示する場合に、前記縮小画像が記録されている画像データの代表画像を、縮小画像が記録されていない画像データの代表画像よりも先に表示するように前記表示手段を制御する制御手段とを有することを特徴とする画像処理装置。
【請求項２】
前記制御手段は、一画面に表示する所定数の代表画像のうち、前記縮小画像が記録されている画像データの代表画像を全て表示した後、縮小画像が記録されていない画像データの代表画像を表示するように前記表示手段を制御することを特徴とする請求項１に記載の画像処理装置。
【請求項３】
記録媒体に記録されている画像データを用いて前記画像データの代表画像を生成し、前記代表画像を表示装置に表示する表示手段と、
複数の前記画像データの代表画像を前記表示装置に表示する場合に、前記画像データの画素数に基づいて前記代表画像を表示する順番を制御する手段であって、前記画像データの画素数が少ない順に前記代表画像を表示するように前記表示手段を制御する制御手段とを有することを特徴とする画像処理装置。
【請求項４】
記録媒体に記録されている複数の画像データの代表画像を生成し、前記代表画像を表示装置に表示する表示手段と、
複数の前記画像データの代表画像を前記表示装置に表示する場合に、複数の前記代表画像それぞれを前記表示装置に表示するまでにかかる時間に基づき、前記表示装置に表示するまでにかかる時間が短いほど先に表示されるように、前記表示手段を制御する制御手段とを有することを特徴とする画像処理装置。
【請求項５】
前記表示手段は、前記画像データの縮小画像が前記記録媒体に記録されている場合には前記縮小画像を用いて前記代表画像を生成し、前記画像データの縮小画像が前記記録媒体に記録されていない場合には前記画像データを用いて前記代表画像を生成し、
前記制御手段は、前記画像データの前記縮小画像が記録されているか否かに基づいて、前記代表画像を表示するまでにかかる時間を判別することを特徴とする請求項４に記載の画像処理装置。
【請求項６】
前記表示手段は、前記画像データを用いて前記代表画像を生成し、
前記制御手段は、前記画像データの画素数に基づいて、前記代表画像を表示するまでにかかる時間を判別することを特徴とする請求項４に記載の画像処理装置。
【請求項７】
前記制御手段は、複数の前記画像データそれぞれの代表画像を前記表示装置に表示するまでにかかる時間に応じた値を持つ優先度の情報を記憶し、前記記憶された優先度の情報に基づいて、前記代表画像を表示するまでにかかる時間を判別することを特徴とする請求項４から６の何れか１項に記載の画像処理装置。
【請求項８】
前記制御手段は、一画面に表示する所定数の代表画像のうち、前記表示装置に表示するまでにかかる時間が短いほど先に表示されるように、前記表示手段を制御することを特徴とする請求項４から７の何れか１項に記載の画像処理装置。
【請求項９】
前記制御手段は、複数の前記代表画像それぞれについて、前記表示手段が前記代表画像の生成を開始してから表示するまでにかかる時間に基づいて、前記表示手段を制御することを特徴とする請求項４から８の何れか１項に記載の画像処理装置。
【請求項１０】
記録媒体に記録されている複数の画像データの代表画像を生成し、前記代表画像を表示装置に表示する工程であって、前記画像データの縮小画像が前記記録媒体に記録されている場合には前記縮小画像を用いて前記代表画像を生成し、前記画像データの縮小画像が前記記録媒体に記録されていない場合には前記画像データを用いて前記代表画像を生成する表示工程と、
複数の前記画像データの代表画像を前記表示装置に表示する場合に、前記縮小画像が記録されている画像データの代表画像を、縮小画像が記録されていない画像データの代表画像よりも先に表示するように前記表示工程を制御する制御工程とを有することを特徴とする画像処理方法。
【請求項１１】
記録媒体に記録されている画像データを用いて前記画像データの代表画像を生成し、前記代表画像を表示装置に表示する表示工程と、
複数の前記画像データの代表画像を前記表示装置に表示する場合に、前記画像データの画素数に基づいて前記代表画像を表示する順番を制御する工程であって、前記画像データの画素数が少ない順に前記代表画像を表示するように前記表示工程を制御する制御工程とを有することを特徴とする画像処理方法。
【請求項１２】
記録媒体に記録されている複数の画像データの代表画像を生成し、前記代表画像を表示装置に表示する表示工程と、
複数の前記画像データの代表画像を前記表示装置に表示する場合に、複数の前記代表画像それぞれを前記表示装置に表示するまでにかかる時間に基づき、前記表示装置に表示するまでにかかる時間が短いほど先に表示されるように、前記表示工程を制御する制御工程とを有することを特徴とする画像処理方法。
【請求項１３】
記録媒体に記録されている複数の画像データの代表画像を生成し、前記代表画像を表示装置に表示する工程であって、前記画像データの縮小画像が前記記録媒体に記録されている場合には前記縮小画像を用いて前記代表画像を生成し、前記画像データの縮小画像が前記記録媒体に記録されていない場合には前記画像データを用いて前記代表画像を生成する表示工程と、
複数の前記画像データの代表画像を前記表示装置に表示する場合に、前記縮小画像が記録されている画像データの代表画像を、縮小画像が記録されていない画像データの代表画像よりも先に表示するように前記表示工程を制御する制御工程とをコンピュータに実行させるためのプログラムを記憶したことを特徴とするコンピュータ読み取り可能な記憶媒体。
【請求項１４】
記録媒体に記録されている画像データを用いて前記画像データの代表画像を生成し、前記代表画像を表示装置に表示する表示工程と、
複数の前記画像データの代表画像を前記表示装置に表示する場合に、前記画像データの画素数に基づいて前記代表画像を表示する順番を制御する工程であって、前記画像データの画素数が少ない順に前記代表画像を表示するように前記表示工程を制御する制御工程とをコンピュータに実行させるためのプログラムを記憶したことを特徴とするコンピュータ読み取り可能な記憶媒体。
【請求項１５】
記録媒体に記録されている複数の画像データの代表画像を生成し、前記代表画像を表示装置に表示する表示工程と、
複数の前記画像データの代表画像を前記表示装置に表示する場合に、複数の前記代表画像それぞれを前記表示装置に表示するまでにかかる時間に基づき、前記表示装置に表示するまでにかかる時間が短いほど先に表示されるように、前記表示工程を制御する制御工程とをコンピュータに実行させるためのプログラムを記憶したことを特徴とするコンピュータ読み取り可能な記憶媒体。
【手続補正２】
【補正対象書類名】明細書
【補正対象項目名】発明の名称
【補正方法】変更
【補正の内容】
【発明の名称】画像処理装置、画像処理方法及び記憶媒体
【手続補正３】
【補正対象書類名】明細書
【補正対象項目名】０００１
【補正方法】変更
【補正の内容】
【０００１】
本発明は画像処理装置、画像処理方法及び記憶媒体に関し、特に、代表画像を表示するために用いて好適な技術に関する。
【手続補正４】
【補正対象書類名】明細書
【補正対象項目名】０００６
【補正方法】変更
【補正の内容】
【０００６】
本発明の画像処理装置は、記録媒体に記録されている複数の画像データの代表画像を生成し、前記代表画像を表示装置に表示する手段であって、前記画像データの縮小画像が前記記録媒体に記録されている場合には前記縮小画像を用いて前記代表画像を生成し、前記画像データの縮小画像が前記記録媒体に記録されていない場合には前記画像データを用いて前記代表画像を生成する表示手段と、複数の前記画像データの代表画像を前記表示装置に表示する場合に、前記縮小画像が記録されている画像データの代表画像を、縮小画像が記録されていない画像データの代表画像よりも先に表示するように前記表示手段を制御する制御手段とを有することを特徴とする。